(57)【要約】【課題】雨天時の撮影でも撮影者の手を煩わすことなく、また装置が大型化することなく、レンズ表面に付着した水滴等を除去することのできるアクセサリ装置を提供することである。【解決手段】カメラシステムのレンズ表面を覆う位置に、除去フィルタ６３を有するアクセサリユニット１４が装着される。除去スイッチ６５がオンされると、ボディ制御用マイクロコンピュータ４０によって、除去フィルタ駆動回路６６を介して圧電素子６４が駆動され、除去フィルタ６３が振動されてレンズ表面に付着した水滴が除去される。【選択図】図１
2005077686.tif 000002
【特許請求の範囲】
【請求項１】
光学装置に装着可能なアクセサリ装置に於いて、
上記光学装置のレンズ表面を覆う位置に配置可能なフィルタ部材と、
手動操作部材と、
上記手動操作部材の操作に応答して、上記フィルタ部材を振動させる加振手段と、
を具備することを特徴とするアクセサリ装置。
【請求項２】
上記加振手段は、上記フィルタ部材を振動させるための圧電素子と、上記圧電素子の駆動回路と、上記駆動回路に対して制御信号を出力する制御回路とを含むことを特徴とする請求項１に記載のアクセサリ装置。
【請求項３】
上記加振手段は、上記光学装置からの電力供給によって動作することを特徴とする請求項２に記載のアクセサリ装置。
【請求項４】
上記加振手段は、上記フィルタ部材を複数の共振周波数で振動させるようにしたことを特徴とする請求項１に記載のアクセサリ装置。
【請求項５】
上記加振手段は、上記フィルタ部材に定在波を発生させることを特徴とする請求項１に記載のアクセサリ装置。
【請求項６】
上記定在波の振動の節は、上記光学装置に入射する光束を避けた位置に配されることを特徴とする請求項５に記載のアクセサリ装置。
【請求項７】
上記定在波の振動の節は、上記光学装置に入射する最外光束よりも外側に設定されることを特徴とする請求項６に記載のアクセサリ装置。
【請求項８】
被写体の光学像を結像する撮影光学系の先端部に装着可能なアクセサリ装置に於いて、
手動操作部材と、
上記撮影光学系のレンズ表面を覆うフィルタと、
上記フィルタの周縁部に固着された圧電素子と、
上記手動操作部材の操作に応じて、上記圧電素子に所定の周波数電圧を印加する駆動回路と、
を具備することを特徴とするアクセサリ装置。
【請求項９】
上記駆動回路は、上記フィルタに定在波振動を発生させることを特徴とする請求項８に記載のアクセサリ装置。
【請求項１０】
上記定在波振動の節は、上記撮影光学系に入射する光束を避けた位置に配されることを特徴とする請求項８に記載のアクセサリ装置。
【請求項１１】
上記定在波の振動の節は、上記光学装置に入射する最外光束よりも外側に設定されることを特徴とする請求項１０に記載のアクセサリ装置。
【請求項１２】
上記駆動回路は、上記フィルタの共振周波数に応じた周波数電圧を上記圧電素子に印加することを特徴とする請求項８に記載のアクセサリ装置。
【発明の詳細な説明】
【技術分野】
【０００１】
この発明は、レンズ表面に付着した水滴等を除去するアクセサリ装置に関するものである。
【背景技術】
【０００２】
カメラは屋外で使用することが多く、雨天時でも撮影を行うことがある。こうした雨天時の撮影に於いて、撮影レンズ表面に雨滴が付着してしまった場合、その部分だけ画像がぼけてしまうことがある。
【０００３】
そのため、従来は、撮影者が水滴に気づいたときにレンズ表面を拭いて対処していた。しかしながら、このような対処方法では、撮影時にいちいちレンズ表面を拭き取らなければならず、煩わしいものであった。
【０００４】
これに対し、撮影レンズの前面にフィルタを取付け、このフィルタをモータによって回転させて、その遠心力によってフィルタに付着した水滴等をはじき飛ばして、レンズの表面を水滴等から保護する技術が知られている（例えば、特許文献１参照）。
【特許文献１】特開２０００−１７１８７１号公報
【発明の開示】
【発明が解決しようとする課題】
【０００５】
しかしながら、上述した特許文献１に記載の技術では、モータを取り付けることによって大型化してしまうという課題を有していた。また、構成も複雑になる等、改善が望まれていた。
【０００６】
この発明は上記課題に鑑みてなされたものであり、雨天時の撮影でも撮影者の手を煩わすことなく、また装置が大型化することなく、レンズ表面に付着した水滴等を除去することのできるアクセサリ装置を提供することを目的とする。
【課題を解決するための手段】
【０００７】
すなわち、請求項１に記載の発明は、光学装置に装着可能なアクセサリ装置に於いて、上記光学装置のレンズ表面を覆う位置に配置可能なフィルタ部材と、手動操作部材と、上記手動操作部材の操作に応答して、上記フィルタ部材を振動させる加振手段と、を具備することを特徴とする。
【０００８】
このような構成とすることにより、雨天時の撮影でも撮影者の手を煩わすことなく、また装置が大型化することなく、レンズ表面に付着した水滴等を除去することのできるアクセサリ装置を提供することができる。
【０００９】
請求項２に記載の発明は、請求項１に記載の発明に於いて、上記加振手段は、上記フィルタ部材を振動させるための圧電素子と、上記圧電素子の駆動回路と、上記駆動回路に対して制御信号を出力する制御回路とを含むことを特徴とする。
【００１０】
このような構成とすることにより、フィルタ部材を振動させて雨天時の撮影でも撮影者の手を煩わすことなく、レンズ表面に付着した水滴等を除去することができる。
【００１１】
請求項３に記載の発明は、請求項２に記載の発明に於いて、上記加振手段は、上記光学装置からの電力供給によって動作することを特徴とする。
【００１２】
このような構成とすることにより、簡単な構成でレンズ表面に付着した水滴等を除去することができる。
【００１３】
請求項４に記載の発明は、請求項１に記載の発明に於いて、上記加振手段は、上記フィルタ部材を複数の共振周波数で振動させるようにしたことを特徴とする。
【００１４】
このような構成とすることにより、より効果的にレンズ表面に付着した水滴等を除去することができる。
【００１５】
請求項５に記載の発明は、請求項１に記載の発明に於いて、上記加振手段は、上記フィルタ部材に定在波を発生させることを特徴とする。
【００１６】
このような構成とすることにより、容易にレンズ表面に付着した水滴等を除去することができる。
【００１７】
請求項６に記載の発明は、請求項５に記載の発明に於いて、上記定在波の振動の節は、上記光学装置に入射する光束を避けた位置に配されることを特徴とする。
【００１８】
このような構成とすることにより、撮影光束内で水滴等の付着によって所望の像が得られなくなることを防止することができる。
【００１９】
請求項７に記載の発明は、請求項６に記載の発明に於いて、上記定在波の振動の節は、上記光学装置に入射する最外光束よりも外側に設定されることを特徴とする。
【００２０】
このような構成とすることにより、撮影光束内に付着していた水滴等を最外光束より外側に除去することができる。
【００２１】
請求項８に記載の発明は、被写体の光学像を結像する撮影光学系の先端部に装着可能なアクセサリ装置に於いて、手動操作部材と、上記撮影光学系のレンズ表面を覆うフィルタと、上記フィルタの周縁部に固着された圧電素子と、上記手動操作部材の操作に応じて、上記圧電素子に所定の周波数電圧を印加する駆動回路と、を具備することを特徴とする。
【００２２】
このような構成とすることにより、雨天時の撮影でも撮影者の手を煩わすことなく、また装置が大型化することなく、レンズ表面に付着した水滴等を除去することのできるアクセサリ装置を提供することができる。
【００２３】
請求項９に記載の発明は、請求項８に記載の発明に於いて、上記駆動回路は、上記フィルタに定在波振動を発生させることを特徴とする。
【００２４】
このような構成とすることにより、容易にレンズ表面に付着した水滴等を除去することができる。
【００２５】
請求項１０に記載の発明は、請求項８に記載の発明に於いて、上記定在波振動の節は、上記撮影光学系に入射する光束を避けた位置に配されることを特徴とする。
【００２６】
このような構成とすることにより、撮影光束内で水滴等の付着によって所望の像が得られなくなることを防止することができる。
【００２７】
請求項１１に記載の発明は、請求項１０に記載の発明に於いて、上記定在波の振動の節は、上記光学装置に入射する最外光束よりも外側に設定されることを特徴とする。
【００２８】
このような構成とすることにより、撮影光束内に付着していた水滴等を最外光束より外側に除去することができる。
【００２９】
請求項１２に記載の発明は、請求項８に記載の発明に於いて、上記駆動回路は、上記フィルタの共振周波数に応じた周波数電圧を上記圧電素子に印加することを特徴とする。
【００３０】
このような構成とすることにより、より効果的にレンズ表面に付着した水滴等を除去することができる。
【発明の効果】
【００３１】
この発明によれば、雨天時の撮影でも撮影者の手を煩わすことなく、また装置が大型化することなく、レンズ表面に付着した水滴等を除去することのできるアクセサリ装置を提供することができる。
【発明を実施するための最良の形態】
【００３２】
以下、図面を参照してこの発明の実施形態を説明する。
【００３３】
図１は、この発明の一実施形態に係るカメラシステムの構成を示すブロック図である。
【００３４】
図１に於いて、光学装置であるこのカメラシステムは、カメラ本体としてのボディユニット１０と、交換レンズとしてのレンズユニット（すなわち、レンズ鏡筒）１２と、このレンズユニット１２の先端に装着可能なアクセサリユニット（すなわち、アクセサリ装置としての水滴除去装置）１４と、通信コネクタ１８を介して撮影した画像データを記録しておく記録メディア１９と、ボディユニット１に外付けのストロボユニット１６とを有して構成されている。
【００３５】
ボディユニット１０は、以下のように構成されている。
【００３６】
アクセサリユニット１４、レンズユニット１２を介して入射される図示されない被写体からの光束は、クイックリターンミラー２１で反射されて、フォーカシングスクリーン２２、ペンタプリズム２３を介して接眼レンズ２４に至る。このクイックリターンミラー２１は、図示矢印Ａ方向に回動可能に設けられている。
【００３７】
上記クイックリターンミラー２１の中央部はハーフミラーになっており、該クイックリターンミラー２１がダウン（図示の位置）した際に一部の光束が透過する。そして、この透過した光束は、クイックリターンミラー２１に設置されたサブミラー２５で反射され、自動測距を行うためのＡＦセンサユニット２６に導かれる。尚、上記クイックリターンミラー２１のアップ時には、サブミラー２５は折り畳まれるようになっている。
【００３８】
また、図示されないが、クイックリターンミラー２１が光路より退避した場合は、アクセサリユニット１４、レンズユニット１２を介して入射された撮影光束は、フォーカルプレーン式のシャッタ２９を介してＣＣＤユニット３０に結像される。
【００３９】
このボディユニット１０は、また、上記ＣＣＤユニット３０に接続されたＣＣＤインターフェイス回路３１と、液晶モニタ３３と、記憶領域として設けられたＳＤＲＡＭ３４と、ＦｌａｓｈＲＯＭ３５と及び上記通信コネクタ１８を介して記録メディア１９とが、画像処理を行うための画像処理コントローラ３２に接続されている。これらは、電子撮像機能と共に電子記録表示機能を提供できるように構成されている。
【００４０】
上記記録メディア１９は、各種のメモリカードや外付けのハードディスクドライブ（ＨＤＤ）等の外部記録媒体であり、通信コネクタ１８を介してカメラボディ１０と通信可能、且つ交換可能に装着される。
【００４１】
上記画像処理コントローラ３２は、測光回路４１と、ミラー駆動回路４２と、ＡＦセンサ駆動回路４３と、シャッタチャージ機構４４と、シャッタ制御回路４５と、不揮発性メモリ（ＥＥＰＲＯＭ）４６等と共に、このボディユニット１０内の各部を制御するための制御回路であるボディ制御用マイクロコンピュータ（以下、Ｂμｃｏｍと略記する）４０に接続されている。
【００４２】
上記Ｂμｃｏｍ４０には、当該カメラの動作状態を表示出力によってユーザへ告知するための動作表示用ＬＣＤ４９と、カメラ操作スイッチ（ＳＷ）５０と、レンズユニット１２と通信を行うための通信ユニット５１と、ストロボユニット１６との通信を行うためのストロボ通信コネクタ５２とが接続されている。
【００４３】
上記ＣＣＤユニット３０は、上記光路上を通過した被写体像を光電変換するための素子である。そして、上記測光回路４１は、上記ペンタプリズム２３からの光束に基づいて測光処理する回路である。
【００４４】
上記ミラー駆動機構４２はクイックリターンミラー２１を駆動制御する機構であり、ＡＦセンサ駆動回路４３は上記ＡＦセンサユニット２６を駆動制御するための回路である。また、シャッタチャージ機構４４は、上記シャッタ２９の先幕と後幕を駆動するばねをチャージするための機構である。上述した先幕と後幕の動きは、上記シャッタ制御回路４５によって制御される。
【００４５】
不揮発性メモリ４６は、その他の記憶領域として、カメラ制御に必要な所定の制御パラメータを記憶する不揮発性記憶手段であり、Ｂμｃｏｍ４０からアクセス可能に設けられている。
【００４６】
上記カメラ操作スイッチ５０は、例えば撮影動作の実行を指示するレリーズスイッチ、撮影モードと画像表示モードを切り換えるモード変更スイッチ及びパワースイッチ等、当該カメラを操作するために必要な操作釦を含むスイッチ群で構成される。
【００４７】
上記レンズユニット１２は、上記ボディユニット１０の前面に設けられた、図示されないレンズマウントを介して着脱自在に装着される。そして、上記レンズユニット１２は、撮影レンズ５５と、絞り５６と、レンズ駆動機構５７と、絞り駆動機構５８と、レンズ制御用マイクロコンピュータ（以下、Ｌμｃｏｍと略記する）６０とから構成されている。
【００４８】
上記撮影レンズ５５は、レンズ駆動機構５７内に存在する図示されないＤＣモータによって、光軸方向に駆動される。絞り５６は、絞り駆動機構５８内に存在する図示されないステッピングモータによって駆動される。また、Ｌμｃｏｍ６０は、上記レンズ駆動機構５７や絞り駆動機構５８等、レンズユニット１２内の各部を駆動制御する。このＬμｃｏｍ６０は、通信コネクタ５１を介して、上述したＢμｃｏｍ４０の指令に従って制御される。
【００４９】
尚、上記Ｂμｃｏｍ４０とＬμｃｏｍ６０とは、レンズユニット１２の装着時に於いて、通信コネクタ１７を介して通信可能に電気的接続がなされる。そして、カメラシステムとしてＬμｃｏｍ６０がＢμｃｏｍ４０に従属的に協働しながら稼動するようになっている。
【００５０】
レンズユニット１２の先端には、アクセサリユニット１４が装着可能である。このアクセサリユニット１４には、レンズユニット１２の撮影レンズ５５の表面に水滴や塵挨が付着することを防止すると共に、それ自身に付着した水滴や塵挨等を除去する機能をも有する、フィルタ部材である除去フィルタ６３が設けられている。
【００５１】
この除去フィルタ６３の周縁部には、加振手段の一部として圧電素子６４が取り付けられている。また、この圧電素子６４には、詳細を後述する２つの電極が設けられている。上記圧電素子６４には、撮影者が操作する除去スイッチ６５と共に、除去フィルタ駆動回路６６が接続されている。そして、この除去フィルタ駆動回路６６には、アクセサリユニット１４内の各部の制御を司るアクセサリ制御用マイクロコンピュータ（Ａμｃｏｍ）６７が接続されている。
【００５２】
また、上記ストロボユニット１６は、閃光発光管７０と、ＤＣ／ＤＣコンバータ７１と、ストロボ制御用マイクロコンピュータ７２及び内蔵の電池７３とから構成されている。このストロボユニット１６は、ストロボ通信コネクタ５２を介してカメラボディ１０と通信可能に装着できる。
【００５３】
このように構成されたデジタルカメラの各部は、次のように稼動する。
【００５４】
先ず、画像処理コントローラ３２により、Ｂμｃｏｍ４０の指令に従ってＣＣＤインターフェイス回路３１が制御されて、ＣＣＤユニット３０から画像データが取り込まれる。
【００５５】
この画像データは、画像処理コントローラ３２でビデオ信号に変換され、液晶モニタ３３にて出力表示される。撮影者は、この液晶モニタ３３の表示画像から、撮影した画像イメージを確認することができる。
【００５６】
ＳＤＲＡＭ３４は画像データの一時的保管用メモリであり、上述したように、画像データが変換される際のワークエリア等に使用される。またこの画像データは、ＪＰＥＧデータに変換された後には、記録メディア１９に保管されるように設定されている。
【００５７】
ミラー駆動機構４２は、上述したように、クイックリターンミラー２１をアップ（ＵＰ）位置とダウン（ＤＯＷＮ）位置へ駆動するための機構である。ミラー駆動機構４２によってクイックリターンミラー２１がＤＯＷＮ位置にある時、撮影レンズ５５からの光束は、ＡＦセンサユニット２６側とペンタプリズム２３側へと分割されて導かれる。
【００５８】
ＡＦセンサユニット２６内のＡＦセンサからの出力は、ＡＦセンサ駆動回路４３を介してＢμｃｏｍ４０へ送信されて、周知の測距処理が行われる。
【００５９】
一方、ペンタプリズム２３に隣接する接眼レンズ２４からは、撮影者が被写体を目視できる。また、上記ペンタプリズム２３を通過した光束の一部は、測光回路４１内のホトセンサ（図示せず）へ導かれ、ここで検知された光量に基づいて周知の測光処理が行われる。
【００６０】
レンズユニット１２の先端には、アクセサリユニット１４が装着可能である。このアクセサリユニット１４に設けられた除去フィルタ６３によって、レンズユニット１２の撮影レンズ５５の表面に水滴や塵挨が付着することが防止されると共に、それ自身に付着した水滴や塵挨等が除去される。
【００６１】
この除去フィルタ６３の周縁部には、上述したように、圧電素子６４が取り付けられている。この圧電素子６４に、詳細を後述する２つの電極を介して、除去フィルタ駆動回路６６から周期的な電圧信号が印加されると、圧電素子６４の伸縮動作によって除去フィルタ６３上に定在波が発生し、該除去フィルタ６３の表面に付着した水滴等を弾き飛ばすことができる。この水滴や塵挨の除去動作は、撮影者によって除去フィルタ駆動回路６６に接続された除去スイッチ６５が操作された場合に実行されるが、その詳細は後述する。
【００６２】
次に、図２及び図３を参照して、このカメラシステムの構造系について説明する。
【００６３】
図２はこのカメラシステムの外観を示すもので、カメラボディ１０、レンズユニット１２、アクセサリユニット１４に分解して示した斜視図、図３は図２のレンズユニット１２にアクセサリユニット１４が装着された状態を示す一部断面図である。
【００６４】
ボディユニット１０の前面部には、レンズユニット１２を装着するためのマウント面７８を有したボディマウント７７が設けられている。このボディマウント７７の内側には、レンズユニット１２と通信を行うための通信接点端子７９が設けられると共に、光軸Ｏに沿って撮影光束をクイックリターンミラー２１等へ導くための開口が形成されている。上記通信接点端子７９は、図１の通信コネクタ５１に相当する。
【００６５】
レンズユニット１２に於いては、上述したボディユニット１０のボディマウント７７と対向する位置に、該レンズユニット１２をボディユニット１０に装着するための、図示されないレンズマウントが設けられている。一方、レンズユニット１２のアクセサリユニット１４と対向する位置には、アクセサリユニット１４を取り付けるためのネジ８２が設けられている。
【００６６】
また、レンズユニット１２の外周面には、後述するコネクタケーブル８８のアクセサリ側コネクタ８９を取り付けるためのレンズ側コネクタ８３が設けられている。このレンズ側コネクタ８３には、アクセサリコネクタ８９が取り付けられない場合は、コネクタキャップ８４が取り付けられるようになっている。
【００６７】
アクセサリユニット１４は、レンズユニット１２と対向する位置に、該アクセサリユニット１４をレンズユニット１２に装着するため、ネジ８２と螺合するネジ８６が設けられている。アクセサリユニット１４は、内部に除去フィルタ６３及び圧電素子６４を有しており、外部には上述した除去スイッチ６５に対応した除去動作実行釦８７と、レンズユニット１２を介してボディユニット１０から電源を供給するためのコネクタケーブル８８が設けられている。また、このコネクタケーブル８８の先端部には、レンズユニット１２のレンズ側コネクタ８３と嵌合するアクセサリ側コネクタ８９が取り付けられている。
【００６８】
図３に示されるように、上記除去フィルタ６３は、その周縁部に圧電素子６４が配置されている。そして、除去フィルタ６３は、バネ部材９５を介して、フィルタ枠９４のネジ９７によって取り付けられた保持環９８により押圧されている。
【００６９】
更に、フィルタ枠９４と保持環９８との間には、防水部材としてのＯリング９９が設けられている。同様に、アクセサリユニット１４がレンズユニット１２に装着された状態での交換レンズ鏡筒８１とフィルタ枠９４との間には、防水部材としてのＯリング９３が設けられている。
【００７０】
また、図３に於いて、９１は交換レンズ鏡筒８１内で最も被写体側に位置する第１のレンズ９１であり、１０１は除去フィルタ６３の振動の節、更に１０２は入射する最も外側の光束を表している。そして、定在波の場合、最も外側の光束１０２よりも外側に、振動の節１０１が位置されるようにする。この振動の節１０１についての詳細は後述する。
【００７１】
図４は、本実施の形態のカメラシステムに於ける電源供給及び通信に関する概要を示した図である。
【００７２】
ボディユニット１０内には電池１０５が設けられており、この電池１０５に接続された電圧安定化回路１０６にて電源電圧が安定化される。そして、この電圧安定化回路１０６から、ボディユニット１０、レンズユニット１２、アクセサリユニット１４の各部に電源が供給される。つまり、ボディユニット１０内のＢμｃｏｍ４０、レンズユニット１２内のＬμｃｏｍ６０、アクセサリユニット１４内のＡμｃｏｍ６７及び除去フィルタ駆動回路６６等をはじめとする各回路に電源が供給される。
【００７３】
これらの電源の供給は、具体的には、ボディユニット１０からレンズユニット１２へは通信接点端子７９を介して、そして、レンズユニット１２からアクセサリユニット１４へはコネクタケーブル８８を介して行われる。
【００７４】
尚、電源安定化回路１０６は、Ｂμｃｏｍ４０によって駆動制御される。
【００７５】
次に、図５に示される除去フィルタ駆動回路６６の回路図と、図６のタイムチャートに基づいて、本実施形態に於ける除去フィルタ６３の駆動及びその動作について説明する。
【００７６】
除去フィルタ駆動回路６６は圧電素子６４の駆動回路であり、図５に示されるような回路構成を有しており、その各部に於いて、図６のタイムチャートで表す波形信号（Ｓｉｇ１〜Ｓｉｇ４）が生成され、それらの信号に基づいて次のように制御される。
【００７７】
すなわち、除去フィルタ駆動回路６６は、図５に示されるように、Ｎ進カウンタ１０９と、１／２分周回路１１０と、インバータ１１２と、複数のＭＯＳトランジスタＱ１、Ｑ２、Ｑ３と、トランス１１３及び抵抗Ｒ１とから構成されている。
【００７８】
上記トランス１１３の１次側に接続されたトランジスタＱ２及びトランジスタＱ３のオン／オフ切替え動作によって、そのトランス１１３の２次側に所定周期の信号（Ｓｉｇ４）が発生するように構成されている。この所定周期の信号に基づいて、圧電素子６４を駆動させ、除去フィルタ６３を共振させるようになっている。
【００７９】
また、Ａμｃｏｍ６７は、制御ポートとして設けられた２つのＩＯポートＰ＿ＰｗＣｏｎｔ及びＩＯポートＤ＿ＮＣｎｔと、クロックジェネレータ８０を有しており、これらにより、除去フィルタ駆動回路６６を制御している。
【００８０】
ここで、図７及び図８を参照して、圧電素子６４に対して周期的な駆動電圧が印加された際の除去フィルタ６３及び圧電素子６４の状態変化について説明する。
【００８１】
図７は除去フィルタ６３を示した平面図、図８は図７に示された除去フィルタ６３のＢ−Ｂ線に沿った断面図である。
【００８２】
いま、圧電素子６４に負（マイナス；−）電圧が印加された場合、除去フィルタ６３は、図８に於いて実線で示されるように変形する。一方、圧電素子６４に正（プラス；＋）電圧が印加された場合には、除去フィルタ６３は、同図に於いて二点鎖線で示されるように変形することになる。
【００８３】
除去フィルタ６３が振動する際には不動点が存在するが、この不動点が振動の節１０１である。この節１０１には、不動であるが故に、その周囲から水滴や埃が流れ込んで溜まりやすくなっている。加えて、除去フィルタ６３を振動させると、より節１０１に溜まってしまう。このため、節１０１が光束の内側に入ってしまうと、水滴や埃の影響で、意図した像を得られないことがある。
【００８４】
この現象を避けるため、図３に示されるように、除去フィルタ６３の振動の節１０１は、最も外側の撮影光束１０２よりも外側の位置になるように設定されている。
【００８５】
この場合に於いて、図７及び図８に示されるような振動の節１０１の位置では、実質的に振幅は零になることから、この節１０１に対応する部位に除去フィルタ受け部材（図示せず）が当接されるように設定される。これにより、振動を阻害することなく除去フィルタ６３を効率的に支持し得ることになる。そして、この状態に於いて、圧電素子６３に対して周期的な電圧が印加されることで除去フィルタ６３が振動され、当該除去フィルタ６３の表面に付着した水滴や塵挨等は除去される。また、このときの共振周波数は、除去フィルタ６３の形状や板厚・材質等により決定されるものである。
【００８６】
尚、上述した図７、図８に示される例では、除去フィルタ６３上に一次振動を発生させた場合を示しているが、印加電圧の周波数を変更すれば、二次振動やそれ以上の高次の振動を発生させることも可能である。また、二次振動を先に実行した後一次振動を実行する等、一次振動と二次振動を組み合わせれば、水滴等の除去効果が、より高くなる。
【００８７】
図５に戻って、除去フィルタ駆動回路６６は、Ａμｃｏｍ６７によって、次のように制御される。
【００８８】
Ａμｃｏｍ６７内のクロックジェネレータ１０８からは、圧電素子６４へ印加する信号周波数より充分に早い周波数でパルス信号（基本クロック信号）が、Ｎ進カウンタ１０９へ出力される。この出力信号が、図６のタイムチャートで示される波形の信号Ｓｉｇ１である。そして、この基本クロック信号は、Ｎ進カウンタ１０９へ入力される。
【００８９】
Ｎ進カウンタ１０９では、当該パルス信号がカウントされ、所定の値“Ｎ”に達する毎にカウント終了パルス信号が出力される。すなわち、基本クロック信号が１／Ｎに分周されることになる。この出力信号が、図６のタイムチャートで示される波形の信号Ｓｉｇ２である。
【００９０】
尚、この分周されたパルス信号は、ＨｉｇｈとＬｏｗのデューティ比が１：１ではない。そこで、１／２分周回路１１０を通して、デューティ比が１：１へ変換される。また、この変換されたパルス信号は、図６のタイムチャートで示される波形の信号Ｓｉｇ３に対応する。
【００９１】
この変換されたパルス信号のＨｉｇｈ状態に於いて、この信号が入力されたＭＯＳトランジスタＱ２がオンされる。一方、トランジスタＱ３へは、インバータ１１２を経由してこのパルス信号が印加される。したがって、パルス信号のＬｏｗ状態に於いて、この信号が入力されたトランジスタＱ３がオンされる。
【００９２】
トランス１１３の１次側に接続されたトランジスタＱ２とトランジスタＱ３が交互にオンされると、２次側には図６のタイミングチャートで示される信号Ｓｉｇ４の如き周期の信号が発生する。
【００９３】
トランス１１３の巻線比は、図示されない電源回路の出力電圧と圧電素子６４の駆動に必要な電圧から決定される。尚、抵抗Ｒ１は、トランス１１３に過大な電流が流れることを制限するために設けられている。
【００９４】
圧電素子６４を駆動するに際しては、トランジスタＱ１がオン状態にあり、電源回路からトランス１１３のセンタータップに電圧が印加されていなければならない。図中、トランジスタＱ１のオン／オフ制御は、ＩＯポートのＰ＿ＰｗＣｏｎｔを介して行われる。Ｎ進カウンタ１０９の設定値“Ｎ”は、ＩＯポートＤ＿ＮＣｎｔから設定することができる。よって、Ａμｃｏｍ６７は、設定値“Ｎ”を適宜に制御することで、圧電素子６４の駆動周波数を任意に変更可能である。
【００９５】
このとき、次式によって周波数は算出可能である。
【００９６】
Ｎ：カウンタヘの設定値、  
ｆｐｌｓ：クロックジェネレータの出力パルスの周波数、  
ｆｄｒｖ：圧電素子へ印加される信号の周波数、  
ｆｄｒｖ＝ｆｐｌｓ／２Ｎ                              …（１）
尚、この式に基づいた演算は、Ａμｃｏｍ６７で行われる。
【００９７】
このように、レンズユニット１２の前面に装着されたアクセサリユニットの除去フィルタ６３に水滴や埃等が付着した際には、除去フィルタを振動させることによって、これらを除去することができる。
【００９８】
また、上述した実施形態では、交換用のレンズユニットの前面に除去フィルタを内蔵したアクセサリユニットを装着した例について述べたが、これに限られるものではない。例えば、レンズユニットの先端に除去フィルタを設けても良いし、或いは撮影レンズの前面に設けても良い。
【図面の簡単な説明】
【００９９】
【図１】この発明の一実施形態に係るカメラシステムの構成を示すブロック図である。
【図２】このカメラシステムの外観を示すもので、カメラボディ１０、レンズユニット１２、アクセサリユニット１４に分解して示した斜視図である。
【図３】図２のレンズユニット１２にアクセサリユニット１４が装着された状態を示す一部断面図である。
【図４】この発明の一実施形態のカメラシステムに於ける電源供給及び通信に関する概要を示した図である。
【図５】除去フィルタ駆動回路６６の構成を示した回路図である。
【図６】本実施形態に於ける除去フィルタ６３の動作について説明するタイミングチャートである。
【図７】除去フィルタ６３を示した平面図である。
【図８】図７に示された除去フィルタ６３のＢ−Ｂ線に沿った断面図である。
【符号の説明】
【０１００】
１０…ボディユニット、１２…レンズユニット、１４…アクセサリユニット、１６…ストロボユニット、１８、５１…通信コネクタ、１９…記録メディア、２１…クイックリターンミラー、２２…フォーカシングスクリーン、２３…ペンタプリズム、２４…接眼レンズ、２５…サブミラー、２６…ＡＦセンサユニット、２９…シャッタ、３０…ＣＣＤユニット、３１…ＣＣＤインターフェイス回路、３２…画像処理コントローラ、３３…液晶モニタ、４０…ボディ制御用マイクロコンピュータ（Ｂμｃｏｍ）、４１…測光回路、４６…不揮発性メモリ（ＥＥＰＲＯＭ）、５０…カメラ操作スイッチ（ＳＷ）、５５…撮影レンズ、５６…絞り、６０レンズ制御用マイクロコンピュータ（Ｌμｃｏｍ）、６３…除去フィルタ、６４…圧電素子、６５…除去スイッチ、６６…除去フィルタ駆動回路、６７…アクセサリ制御用マイクロコンピュータ（Ａμｃｏｍ）、８８…コネクタケーブル、１０１…振動の節、１０２…光束。
【図１】
2005077686.tif 000003
【図２】
2005077686.tif 000004
【図３】
2005077686.tif 000005
【図４】
2005077686.tif 000006
【図５】
2005077686.tif 000007
【図６】
2005077686.tif 000008
【図７】
2005077686.tif 000009
【図８】
2005077686.tif 000010